(57)【要約】【課題】映り込みの改善と、映像光の鮮鋭度およびコントラストの向上とを両立することができるプラズマディスプレイパネルを提供すること。【解決手段】プラズマディスプレイパネル１０は、互いに離隔して配置される前面板２００および背面板１００と、前面板２００と背面板１００との間に形成される放電空間を区画する隔壁１１０と、隔壁１１０により区画された放電セル１２０内に形成される蛍光体層１３０と、前面板２００および背面板１００にそれぞれ配列され、放電セル１２０内で放電を発生させる電極と、前面板２００の観察者側に配置される前面フィルタ３００とを備えるプラズマディスプレイパネル１０において、前面フィルタ３００は、観察者側の表面および前面板２００側の表面に微細な凹凸をそれぞれ有する。【選択図】図１
2009128808.tif 000002
【特許請求の範囲】
【請求項１】
互いに離隔して配置される前面板および背面板と、
前記前面板と前記背面板との間に形成される放電空間を区画する隔壁と、
前記隔壁により区画された放電セル内に形成される蛍光体層と、
前記前面板および前記背面板にそれぞれ配列され、前記放電セル内で放電を発生させる電極と、
前記前面板の観察者側に配置される前面フィルタと、
を備えるプラズマディスプレイパネルにおいて、
前記前面フィルタは、
観察者側の表面および前記前面板側の表面に微細な凹凸をそれぞれ有する、
プラズマディスプレイパネル。
【請求項２】
前記前面フィルタは、
最も観察者側および最も前面板側のいずれか一方が樹脂層で形成され、他方が表面に微細な凹凸加工が施されたガラスの透明板で形成されている、
請求項１記載のプラズマディスプレイパネル。
【請求項３】
前記前面フィルタは、
最も観察者側および最も前面板側の両方が樹脂層で形成されている、
請求項１記載のプラズマディスプレイパネル。
【請求項４】
前記前面フィルタの前記前面板側は空気層に接している、
請求項１記載のプラズマディスプレイパネル。
【請求項５】
前記前面フィルタは、
進入光に対し、前記観察者側の表面および前記前面板側の表面の２箇所で拡散作用を与える、
請求項１記載のプラズマディスプレイパネル。
【請求項６】
前記前面フィルタは、
ヘイズ値をＨＺとし、前記蛍光体層から前記前面フィルタの観察者側の表面までの区間を構成する物質について各物質が占める長さをそれぞれの物質の屈折率で割った値の積算値である空気換算距離をＬとするとき、次の式を満足する、
請求項１記載のプラズマディスプレイパネル。
【数１】
2009128808.tif 000006
【発明の詳細な説明】
【技術分野】
【０００１】
本発明は、プラズマディスプレイパネルに係り、特に、前面フィルタを配置したプラズマディスプレイパネルに関する。
【背景技術】
【０００２】
プラズマディスプレイ（plasma display）やＣＲＴディスプレイ（cathode-ray tube display）などの自発光型ディスプレイは、視野角の依存性が無く自然な映像が得られることから広く使用されている。特にプラズマディスプレイは、薄型であり、かつ大画面を構成するのに最適であることから、急速に普及が進んでいる。
【０００３】
ところが、プラズマディスプレイを含む各種ディスプレイ装置では、表示映像の視認性を低下させる映り込みが問題とされることが多い。ディスプレイ装置の映り込みは、室内の蛍光灯の光や観察者などの像が、表示部よりも映像を観察する者が位置する側（以下「観察者側」という）にある複数のフラットな平面に外光として入射し、その平面で正反射することに起因する。
【０００４】
そこで、映り込みの防止作用（防眩作用）を有するフィルタが、従来提案されている（例えば、特許文献１参照）。特許文献１記載のフィルタは、微粒子の凝集部を点在させて最表面に凹凸形状を形成している。このフィルタをディスプレイ装置の観察者側に配置することにより、外光をフィルタの最表面において拡散反射させることができ、映り込みを改善することができる。以下、防眩作用を有し、ディスプレイ装置の観察者側に配置されるフィルタを、「前面フィルタ」という。
【特許文献１】特開２００５−３１６４５０号公報
【発明の開示】
【発明が解決しようとする課題】
【０００５】
しかしながら、特許文献１記載の前面フィルタをプラズマディスプレイパネルに用いた場合、液晶ディスプレイに比べて、本来の映像光が不鮮明になる度合いが強いという問題がある。なぜなら、プラズマディスプレイパネルは、液晶ディスプレイと比較して、映像光を出力する背面板から前面フィルタ最表面までの距離が長く、映像光が前面フィルタの最表面を透過するときの拡散による鮮鋭度の低下の度合いがより大きくなるためである。
【０００６】
また、プラズマディスプレイパネルの内部に進入した外光が前面板表面などで正反射することにより発生する映り込みについては、抑制が難しいという問題がある。なぜなら、前面フィルタの最表面の粗さの度合いに対する屈折光の感度は反射光のそれに比べて弱く、内部反射による映り込みを改善するために最表面を粗くしようとすると、表面拡散が増大して映像光のコントラストが低下するためである。
【０００７】
したがって、特許文献１記載の前面フィルタを用いたプラズマディスプレイパネルでは、映り込みの改善と、映像光の鮮鋭度およびコントラストの向上とを両立することが難しい。
【０００８】
本発明は、かかる点に鑑みてなされたものであり、映り込みの改善と、映像光の鮮鋭度およびコントラストの向上とを両立することができるプラズマディスプレイパネルを提供することを目的とする。
【課題を解決するための手段】
【０００９】
本発明のプラズマディスプレイパネルは、互いに離隔して配置される前面板および背面板と、前記前面板と前記背面板との間に形成される放電空間を区画する隔壁と、前記隔壁により区画された放電セル内に形成される蛍光体層と、前記前面板および前記背面板にそれぞれ配列され、前記放電セル内で放電を発生させる電極と、前記前面板の観察者側に配置される前面フィルタと、を備えるプラズマディスプレイパネルにおいて、前記前面フィルタは、観察者側の表面および前記前面板側の表面に微細な凹凸をそれぞれ有する構成を採る。
【発明の効果】
【００１０】
本発明によれば、パネル内部に進入した外光に対し前面フィルタの表面のみならず裏面でも拡散作用を与えることができるため、前面フィルタの表面の粗さを抑えて、映り込みの改善を図ることができる。しかも、前面フィルタにおける拡散の作用を、映像光よりもパネル内部に進入した外光に対してより強く与えることができる。これにより、映り込みの改善と、映像光の鮮鋭度およびコントラストの向上とを両立することができる。
【発明を実施するための最良の形態】
【００１１】
以下、本発明の一実施の形態について、図面を参照して詳細に説明する。
【００１２】
図１は、本発明の一実施の形態に係るプラズマディスプレイパネルの概略部分断面図である。図１では、本実施の形態に係るプラズマディスプレイパネルの特徴的な構成を示しており、その他の部分については図示および説明を一部省略する。
【００１３】
図１に示すように、プラズマディスプレイパネル１０は、互いに離隔して配置された背面板１００、前面板２００、および前面フィルタ３００を、この順に平行に重ねて構成される。背面板１００と前面板２００との間の空間には、プラズマ放電を発生させる放電空間が形成されている。放電空間には、ヘリウム（Ｈｅ）、ネオン（Ｎｅ）、キセノン（Ｘｅ）、アルゴン（Ａｒ）などを混合した所定の放電ガスが封入されている。前面板２００と前面フィルタ３００との間の空間は、空気層となっている。
【００１４】
背面板１００には、絶縁体層で覆われたデータ電極（図示せず）と、データ電極と平行に配置されたストライプ状の複数の隔壁１１０とが形成されている。上記した放電空間は、隔壁１１０により複数の区画に仕切られており、単位発光領域となる複数の放電セル１２０を形成している。３つの隣り合う放電セル１２０の内壁には、赤色（Ｒ）、緑色（Ｇ）、青色（Ｂ）の各蛍光体が放電セル毎に色分け塗布され、蛍光体層１３０が形成されている。
【００１５】
前面板２００には、電極、誘電体層、および保護膜などの、プラズマディスプレイパネルとしての機能を実現するための各種構成要素（図示せず）がそれぞれ適切な位置に形成されている。例えば、前面板２００には、図示しないが、走査電極と維持電極とで対をなすストライプ状の表示電極が複数形成され、表示電極を覆うように誘電体層が形成され、更に誘電体層上に保護層が形成されている。誘電体層は、例えば、低融点ガラスから成り、保護層は、例えば、酸化マグネシウム（ＭｇＯ）から成る。
【００１６】
前面フィルタ３００は、例えば、ガラスから成る透明板３１０を基材とし、透明板３１０に、電磁波遮断フィルタ、赤外線カットフィルタ、および色調整フィルタ（いずれも図示せず）を積層して構成される。前面フィルタ３００は、更に、透明板３１０の観察者側に、防眩層として、ポリエステルなどの熱可塑性樹脂で構成された樹脂層３２０を備えて構成される。樹脂層３２０は、接着層３３０を介して透明板３１０に接着されている。
【００１７】
前面フィルタ３００は、観察者側の表面、つまり樹脂層３２０の空気界面として、微細な凹凸を構成している表面凹凸面３４０を有する。また、前面フィルタ３００は、前面側２００の表面（以下「裏面」という）、つまり透明板３１０の空気界面として、微細な凹凸を構成している裏面凹凸面３５０を有する。
【００１８】
裏面凹凸面３５０の凹凸構造は、例えば、透明板３１０に凹凸加工を施すことにより実現される。加工法としては、例えば、フロスト加工、エンボス加工、またはサンドブラスト加工が好ましい。なお、裏面凹凸面３５０の凹凸構造は、例えば、透明板３１０の前面板２００側をフラットとし、屈折率がほぼ同一の物質から成り凹凸構造を有する防眩樹脂フィルムを透明板３１０のフラット面に接着することにより実現してもよい。ただし、透明板３１０に凹凸加工を施した場合には、このような防眩樹脂フィルムの配置が不要となり、最小の構成で前面フィルタ３００を構成することができるというメリットがある。
【００１９】
このように構成されたプラズマディスプレイパネル１０において、電極間に電圧が印加されると、放電セル１２０に放電が発生し、例えば、混合ガス中のヘリウム原子が励起されて紫外線を発生する。そして、この紫外線によって蛍光体層１３０が励起され、可視光が発生する。
【００２０】
映り込みの原因となる外光（以下単に「外光」という）の一部は、表面凹凸面３４０で反射する。
【００２１】
図２は、表面凹凸面３４０における反射光の様子を模式的に示す図である。
【００２２】
図２に示すように、表面凹凸面３４０は微細な凹凸構造を有しているため、外光４００の反射光４１０は拡散される。これにより、表面凹凸面３４０での反射は乱反射となり、その結果、映り込みの第一の原因である前面フィルタ３００の観察者側表面における正反射が低減し、映り込みは低減する。すなわち、表面凹凸面３４０での反射による映り込みの程度は、表面凹凸面３４０が反射光に対して作用する反射による拡散（以下「反射拡散」という）の程度によって決まる。
【００２３】
一方、表面凹凸面３４０で反射せずにパネル内部に進入した外光（以下「進入光」という）の大部分は、透明板３１０の前面板２００側の裏面凹凸面３５０で反射する。進入光の大部分が裏面凹凸面３５０で反射するのは、透明板３１０が空気層に接していることにより、裏面凹凸面３５０における屈折率差が大きくなっているためである。
【００２４】
映り込み像は、表面凹凸面３４０における反射光と裏面凹凸面３５０における反射光との合成で構成される。映り込みを低減するには、それぞれの反射光が十分に拡散していなければならない。
【００２５】
従来は透明板３１０の前面板２００側の空気界面はフラットであり、このフラットな面の正反射の影響を少なくするために、映り込みの元となる進入光が上記したフラットな面に到達するまえに、大きく散乱させておく必要があった。ところが、表面凹凸面３４０で大きな拡散作用を得ようとすると、面の粗さの度合いに対する屈折光の感度は反射光のそれに比べて弱いことから、表面凹凸面３４０の粗さを大きくしなければならない。表面凹凸面３４０の表面拡散が増大すると、映像光のコントラスト低下も大きくなるため、好ましくない。
【００２６】
そこで、本実施の形態に係るプラズマディスプレイパネル１０では、上記したように、前面フィルタ３００に裏面凹凸面３５０を設けている。これにより、表面凹凸面３４０が進入光に対して作用する拡散（以下「屈折拡散」という）の程度を制限し、その代わりに、裏面凹凸面３５０における反射拡散を利用する。これにより、前面フィルタ３００の表面の粗さを抑えて、映り込みの改善を図ることができる。
【００２７】
図３は、裏面凹凸面３５０で反射する進入光の様子を模式的に示す図である。なお、ここでは、樹脂層３２０、接着層３３０、および透明板３１０の屈折率はほぼ同一であり、これらの各界面における進入光の反射および屈折は無視できるものとする。
【００２８】
図３に示すように、外光４００のうちパネル内部に進入した進入光４２０は、表面凹凸面３４０で拡散しながら屈折作用を受けた後、裏面凹凸面３５０で拡散しながら反射作用を受け、その反射光４３０は観察者側に戻り、表面凹凸面３４０で再び拡散しながら屈折作用を受ける。これにより、裏面凹凸面３５０での反射も乱反射となり、その結果、映り込みの第二の原因である前面フィルタ３００の裏面における正反射が低減し、映り込みが低減する。すなわち、裏面凹凸面３５０での反射による映り込みの程度は、裏面凹凸面３５０が入射光に対して作用する拡散の程度によって決まる。
【００２９】
なお、表示部からの映像光も表面凹凸面３４０および裏面凹凸面３５０を透過し、両方の面において屈折作用を受ける。しかし、同じ凹凸面でも、屈折による拡散作用は反射による拡散作用に比べて弱いため、映像光の鮮鋭度の低下を抑えて、映り込みを改善することができる。
【００３０】
但し、映像光の鮮鋭度は、表示部と拡散面との距離、つまり背面板１００と表面凹凸面３４０との距離に影響される。したがって、この距離に応じて、前面フィルタ３００を透過する映像光に作用する拡散の程度（以下「拡散条件」という）をコントロールする必要がある。
【００３１】
以下、プラズマディスプレイパネル１０における拡散条件のコントロールについて説明する。
【００３２】
まず、拡散条件のコントロールの基準となる距離について説明する。
【００３３】
図４は、拡散条件のコントロールの基準となる距離を説明するための図であり、図１に対応するものである。
【００３４】
ここでは、図４に示すように、拡散条件のコントロールの基準となる距離Ｌを、プラズマディスプレイパネル１０の表示部である蛍光体層１３０から、前面フィルタ３００の表面凹凸面３４０までの距離と定義する。ただし、距離Ｌは、蛍光体層１３０から表面凹凸面３４０までの区間を構成する物質について、各物質が占める長さをそれぞれの物質の屈折率で割った値の積算値である（以下「空気換算距離」という）。例えば、屈折率１.５のガラスの１ｍｍと、屈折率１.０の空気の１ｍｍとを合わせたときの空気換算距離は、１／１.５＋１／１＝１．６７と算出することができる。
【００３５】
蛍光体からの映像光は、拡散しながら観察者側へ進み、観察者に観察される。映像光は、裏面凹凸面３５０および表面凹凸面３４０を透過するときに拡散作用を受けるため、観察者に観察される映像の鮮鋭度は、本来の映像に比べて劣化する。鮮鋭度の劣化は、空気換算距離Ｌが長いほど大きくなる。これは、光源と観察者の間に存在する拡散面のうち、光源からの光の透過領域を二次光源として取り扱うことができるが、通常、光源の光は四方八方に出射され二次光源の大きさは拡散面と光源との距離が長いほど大きくなり、また、二次光源の大きさが大きいほど光源の像の鮮鋭度は低下するためである。
【００３６】
次に、観測者側で観測される映像光の鮮鋭度を維持するための拡散条件について説明する。
【００３７】
ここで、観測者側で観測される映像光の鮮鋭度を表わす指標として、元の映像の鮮鋭度をどの程度再現できるかを示す評価関数であるＭＴＦ（modulation transfer function）を採用する。特に、映像光が前面フィルタ３００を透過する際のＭＴＦを、「透過ＭＴＦ」と表記する。
【００３８】
ディスプレイ装置の映像で再現すべき最も高い空間周波数は、表示素子のピッチに依存し、４０インチ前後のプラズマディスプレイパネルでは約０.６ｌｐ／ｍｍ（ラインペア  パー  ミリメートル）である。また、映像光の鮮鋭度として許容される透過ＭＴＦの下限値は、０.７である。したがって、許容される映像光の鮮鋭度の最小値として、空間周波数０.６ｌｐ／ｍｍにおいて、透過ＭＴＦ＝０.７を採用する。透過ＭＴＦが０.７以上の場合に、映像光の鮮鋭度が維持されているとみなすことができる。
【００３９】
なお、例えば、４２インチのプラズマディスプレイパネルの前面に、通常と同じ距離を離して０.６ｌｐ／ｍｍにおいて透過ＭＴＦ＝０.７の前面フィルタを配置した場合、正面方向から観察すると問題は無いが、斜め方向から観察すると映像の鮮鋭度の低下が認識される。これは、観察する光路に沿って測ったときの前面フィルタから蛍光体層までの距離が、正面方向から観察する場合よりも、斜め方向から観察する場合のほうが大きくなり、その結果、斜め方向における見かけ上の透過ＭＴＦが０.７よりも小さくなるためである。したがって、本実施の形態では、前面フィルタ３００の透過ＭＴＦを０.７としているが、観察者が映像を観察し得る斜め方向からの角度においても、透過ＭＴＦ０.７以上を確保できることが望ましい。
【００４０】
また、反射拡散の程度および屈折拡散の程度は凹凸の微細部分の傾斜角に比例することから、前面フィルタ３００の拡散条件を示す特性値として、可視光を照射したときの全透過光に対する拡散透過光の割合を示すヘイズ値（haze factor）を採用する。前面フィルタ３００全体のヘイズ値は、表面凹凸面３４０および裏面凹凸面３５０のそれぞれの屈折拡散の程度で決まる。
【００４１】
図５は、観測者側で観測される映像光の鮮鋭度の許容最小値を定めたときの、空気換算距離Ｌと前面フィルタ３００の拡散条件との関係を示す図である。
【００４２】
図５において、横軸は図４で説明した空気換算距離Ｌをミリメートル（ｍｍ）単位で示し、縦軸は前面フィルタ３００のヘイズ値をパーセント（％）単位で示している。また、四角で表されるポイント群５１０は、実験により得られた、空間周波数０.６ｌｐ／ｍｍで透過ＭＴＦ＝０.７となる空気換算距離Ｌと前面フィルタのヘイズ値ＨＺとの組み合わせをプロットしたものである。そして、三角で表されるポイント群５２０は、実験により得られた、空間周波数０.６ｌｐ／ｍｍで透過ＭＴＦ＝０.９５となる空気換算距離Ｌと前面フィルタのヘイズ値ＨＺとの組み合わせをプロットしたものである。透過ＭＴＦは、値「１」に近ければ近いほど拡散の度合いが低く、映像光の先鋭度を高く維持できることを示す。
【００４３】
前面フィルタ３００のヘイズ値ＨＺは、空気換算距離Ｌがゼロのときは無限大になる。また、前面フィルタ３００の透過ＭＴＦは、ヘイズ値ＨＺがゼロのときには空気換算距離Ｌが無限大でも低下しない。また、回帰曲線は、相関係数の二乗が０.７を超える場合に、十分に高い精度とみなすことができる。これらのことから、ヘイズ値ＨＺを１／Ｌの多項式で表わすことができると仮定し、ポイント群５１０の回帰曲線を、相関係数の二乗が０.７を超える最も次数の低い多項式近似で求めると、次の式（１）となる。
【数１】
2009128808.tif 000003
【００４４】
式（１）を表したものが、曲線５３０である。すなわち、曲線５３０は、空間周波数０.６ｌｐ／ｍｍで透過ＭＴＦ＝０.７となる拡散条件の等高線を表している。曲線５３０は、空気換算距離Ｌが短いほど高いヘイズ値を採り、空気換算距離Ｌの増加に伴って二次曲線的に減少する。したがって、空気換算距離Ｌが大きくなるような構造をとった場合に、透過ＭＴＦを０.７に維持して映像光の鮮鋭度を維持するためには、前面フィルタ３００のヘイズ値を小さくする必要がある。
【００４５】
また、同様に、ポイント群５２０の回帰曲線を求めると、次の式（２）で示される。
【数２】
2009128808.tif 000004
【００４６】
式（２）を表したものが、曲線５４０である。すなわち、曲線５４０は、空間周波数０.６ｌｐ／ｍｍで透過ＭＴＦ＝０.９５となる拡散条件の等高線を表している。
【００４７】
曲線５４０は、曲線５３０と交差することなく、曲線５３０の左下側に位置している。また、例えば、ヘイズ値ＨＺまたは空気換算距離Ｌの一方の値を固定して他方の値を減少させたときには、当然に、透過ＭＴＦは増加する。すなわち、図中において、曲線５３０よりも左側または下側は、透過ＭＴＦが０.７よりも高く、映像光の鮮鋭度が維持されているとみなすことができる領域である。また、曲線５３０より右側または上側は、透過ＭＴＦが０.７よりも低く、映像光の鮮鋭度が維持されていないとみなすことができる領域である。
【００４８】
したがって、映像光の鮮鋭度が維持されるのは、前面フィルタ３００のヘイズ値ＨＺが次の式（３）を満足する場合である。
【数３】
2009128808.tif 000005
【００４９】
式（３）を満たすように前面フィルタ３００を構成することで、映像光の鮮鋭度の低下を防ぐことができる。すなわち、式（３）は、映像光の鮮鋭度向上の観点から、表示部から表面凹凸面３４０までの空気換算距離Ｌに応じて前面フィルタ３００のヘイズ値ＨＺの最大値を規定するものである。前面フィルタ３００のヘイズ値ＨＺが式（３）により規定される最大値を超えると、映像光の鮮鋭度が低下し、ディスプレイとして好ましくない。
【００５０】
なお、本実施の形態では、上記したように、映り込みの原因となる反射光の一部を裏面凹凸面３５０で拡散させることにより、その分だけ表面凹凸面３４０の粗さを抑えることを可能にしている。
【００５１】
一方で、映り込みの原因となる反射光の一部を拡散させる他の手法として、裏面凹凸面３５０ではなく、前面フィルタ３００の内部に透過光を拡散させる内部拡散層を設けることも考えられる。ところが、内部拡散層を用いるよりも、本実施の形態のように裏面凹凸面３５０を用いる方が、映像光の鮮鋭度の劣化を抑えることが可能である。以下、参考として、内部拡散層を用いた場合との違いについて説明する。
【００５２】
図６は、内部拡散層を用いたプラズマディスプレイパネルの概略部分断面図であり、図１に対応するものである。図１と同一部分には同一符号を付し、これについての説明を省略する。
【００５３】
図６に示すように、プラズマディスプレイパネル６０の前面フィルタ７００は、例えば、前面板２００側の空気界面７５０を平面とする透明板７１０に、樹脂層３２０と内部拡散層７３０から成る樹脂フィルムを、接着層３３０で接着して構成されている。内部拡散層７３０は、透過光に対し拡散作用を与える。
【００５４】
図７は、プラズマディスプレイパネル６０の表面凹凸面３４０における反射光の様子を模式的に示す図である。
【００５５】
図７に示すように、表面凹凸面３４０において、外光４００の反射光４１０が拡散され、その結果映り込みが低減することは、既に説明した通りである。一方、パネル内部に進入した進入光の大部分は、透明板７１０の前面板２００側の空気界面７５０で反射する。
【００５６】
図８は、空気界面７５０で反射する進入光の様子を模式的に示す図である。
【００５７】
図８に示すように、外光４００のうちパネル内部に進入した進入光４２０は、空気界面７５０で反射する前に、表面凹凸面３４０で屈折し、内部拡散層７３０で屈折作用を受けながら拡散作用を受ける。進入光４２０は、更に、空気界面７５０で反射し、その反射光４３０も、内部拡散層７３０で拡散作用を受け、表面凹凸面３４０で屈折する。この結果、観察者側から見たとき、反射光４３０は拡散して反射しているように見え、映り込みは低減する。
【００５８】
但し、プラズマディスプレイパネル６０においても、表示部からの映像光は、内部拡散層７３０における屈折作用および拡散作用によってその鮮鋭度が低下する。しかも、屈折光の感度が反射光の感度に比べて弱いことから、プラズマディスプレイパネル６０で本実施の形態のプラズマディスプレイパネル１０と同等の映り込み低減効果を得るためには、内部拡散層７３０の屈折拡散の程度を、裏面凹凸面３５０の屈折拡散の程度よりも高くしなければならない。すなわち、裏面凹凸面３５０で必要な偏角を与えても、映像光にはその約１／４の偏角しか作用しないのに対し、内部拡散層７３０で必要な偏角を与えた場合には、映像光にも同じ偏角が作用してしまう。また、内部拡散層７３０を用いた場合、裏面凹凸面３５０を用いた場合よりも、拡散面の表示部からの距離がより長くなる。したがって、プラズマディスプレイパネル６０では、本実施の形態のプラズマディスプレイパネル１０の場合よりも、鮮鋭度の低下の度合いが高くなる。
【００５９】
以上説明したように、本実施の形態に係るプラズマディスプレイパネル１０によれば、前面フィルタ３００は、観察者側の表面および裏面に微細な凹凸をそれぞれ有する。これにより、パネル内部に進入した外光を、表面での反射においてのみならず、裏面での反射においても拡散させることができるため、前面フィルタ３００の表面の粗さを抑えて、映り込みを抑制することができる。しかも、前面フィルタ３００の表面および裏面における拡散の作用を、映像光よりも外光に対してより強く与えることができる。すなわち、映像光の鮮鋭度およびコントラストの低下を抑えた状態で映り込みを抑制することができ、明るい場所にプラズマディスプレイパネル１０を設置する場合でも、映り込みを気にすることなく鮮鋭度の高い映像を提供することができる。
【産業上の利用可能性】
【００６０】
本発明に係るプラズマディスプレイパネルは、映り込みの改善と、映像光の鮮鋭度およびコントラストの向上とを両立することができるプラズマディスプレイパネルとして有用である。
【図面の簡単な説明】
【００６１】
【図１】本発明の一実施の形態に係るプラズマディスプレイパネルの概略部分断面図
【図２】本実施の形態における表面凹凸面における反射光の様子を模式的に示す図
【図３】本実施の形態における裏面凹凸面で反射する進入光の様子を模式的に示す図
【図４】本実施の形態における拡散条件のコントロールの基準となる距離を説明するための図
【図５】本実施の形態における観測者側で観測される映像光の鮮鋭度の許容最小値を定めたときの空気換算距離と前面フィルタの拡散条件との関係を示す図
【図６】内部拡散層を用いたプラズマディスプレイパネルの概略部分断面図
【図７】内部拡散層を用いたプラズマディスプレイパネルの表面凹凸面における反射光の様子を模式的に示す図
【図８】内部拡散層を用いたプラズマディスプレイパネルの空気界面で反射する進入光の様子を模式的に示す図
【符号の説明】
【００６２】
１０  プラズマディスプレイパネル
１００  背面板
１１０  隔壁
１２０  放電セル
１３０  蛍光体層
２００  前面板
３００  前面フィルタ
３１０  透明板
３２０  樹脂層
３３０  接着層
３４０  表面凹凸面
３５０  裏面凹凸面
【図１】
2009128808.tif 000007
【図２】
2009128808.tif 000008
【図３】
2009128808.tif 000009
【図４】
2009128808.tif 000010
【図５】
2009128808.tif 000011
【図６】
2009128808.tif 000012
【図７】
2009128808.tif 000013
【図８】
2009128808.tif 000014